(57)【要約】【課題】簡易な構造により水面上の浮遊物質を効率的に排出できる除塵脱臭装置を提供する。【解決手段】水槽４内の水は給水されることにより所定の水位を超え、樋１１の上流側の壁面を越えて樋１１内に流れ込み、排水口１２から排出される。このとき水面に浮上した浮遊物質１３は水と一緒に樋１１及び排水口１２を経由して排出される。樋１１の壁面は下流側が上流側よりも十分な高さを持ち、下流側からの樋１１内への流入を防ぐ形になっている。また、樋１１は流水方向に対して水槽４を横断するように配置されているので、水面に浮上した浮遊物質１３は下流側に流れ込むことがなく、ポンプ６に吸い込まれる水の清浄度を保つ働きをする。【選択図】図１
2005218951.tif 000002
【特許請求の範囲】
【請求項１】
内部で水を噴射し粉塵・臭気物質を吸着して汚染空気を浄化する空気清浄塔と、前記汚染空気を空気清浄塔内部に送り込む送風機と、前記空気清浄塔内で噴射された水を回収する水槽と、前記水槽の下流側の水を吸い込み前記空気清浄塔内に水を噴射するためのポンプと、前記水槽内に水を供給するタンク給水口を設けた除塵脱臭装置であって、上流側の側壁が水面より低く下流側の側壁が水面より高い樋を前記水槽内に有し、前記樋に貯まった水を排出する排出口を設けたことを特徴とする除塵脱臭装置。
【請求項２】
内部で水を噴射し粉塵・臭気物質を吸着して汚染空気を浄化する空気清浄塔と、前記汚染空気を空気清浄塔内部に送り込む送風機と、前記空気清浄塔内で噴射された水を回収する水槽と、前記水槽の下流側の水を吸い込み前記空気清浄塔内に水を噴射するためのポンプと、前記水槽内に水を供給するタンク給水口を設けた除塵脱臭装置であって、下流側の側壁が水面より高く、上流側の側壁の上端部の高さが変更できる樋を前記水槽内に有し、前記樋に貯まった水を排出する排出口を設けたことを特徴とする除塵脱臭装置。
【請求項３】
内部で水を噴射し粉塵・臭気物質を吸着して汚染空気を浄化する空気清浄塔と、前記汚染空気を空気清浄塔内部に送り込む送風機と、前記空気清浄塔内で噴射された水を回収する水槽と、前記水槽の下流側の水を吸い込み前記空気清浄塔内に水を噴射するためのポンプと、前記空気清浄塔内に水を供給する空気清浄塔給水口を設けた除塵脱臭装置であって、上流側の側壁が水面より低く下流側の側壁が水面より高い樋を前記水槽内に有し、前記樋に貯まった水を排出する排出口を設けたことを特徴とする除塵脱臭装置。
【請求項４】
内部で水を噴射し粉塵・臭気物質を吸着して汚染空気を浄化する空気清浄塔と、前記汚染空気を空気清浄塔内部に送り込む送風機と、前記空気清浄塔内で噴射された水を回収する水槽と、前記水槽の下流側の水を吸い込み前記空気清浄塔内に水を噴射するためのポンプと、前記空気清浄塔内に水を供給する空気清浄塔給水口を設けた除塵脱臭装置であって、下流側の側壁が水面より高く、上流側の側壁の上端部の高さが変更できる樋を前記水槽内に有し、前記樋に貯まった水を排出する排出口を設けたことを特徴とする除塵脱臭装置。
【請求項５】
水槽の流水方向に対して横断するように樋を設置したことを特徴とする請求項１、２、３又は４に記載の除塵脱臭装置。
【請求項６】
樋の上流側側壁の上端部を所定時間間隔で上下動させる制御装置を設けたことを特徴とする請求項２又は４に記載の除塵脱臭装置。
【請求項７】
水槽内の上流側の水位を検知して樋の上流側側壁の上端部を上下動させる制御装置を設けたことを特徴とする請求項２又は４に記載の除塵脱臭装置。
【請求項８】
上流側の側壁の上端部の高さを変更する手段として回転体を設けたことを特徴とする請求項２又は４に記載の除塵脱臭装置。
【請求項９】
上流側の側壁の上端部の高さを変更する手段として可倒式としたことを特徴とする請求項２又は４に記載の除塵脱臭装置。
【発明の詳細な説明】
【技術分野】
【０００１】
本発明は、空気清浄塔と、送風機と、水槽と、ポンプと、給排水機構を備えた除塵脱臭装置に関する。
【背景技術】
【０００２】
従来、例えば、養豚、養鶏などを行う無窓畜舎から発生し排出される臭気を含む換気空気は、臭気濃度が低く風量が多いのが特徴である。現在、一般に用いられている脱臭装置は、そのほとんどが堆肥化装置で発生する高濃度、少風量のガスを対象としており、この脱臭装置を上記畜舎換気空気の脱臭に適用するにはコストが高くなり、実用的ではない。
【０００３】
一方、畜舎と一般住宅との混在化は拡大する傾向にあり、畜産に起因する苦情の６０％以上は悪臭の発生にある。このため、畜舎を無窓にし、畜舎内で発生した悪臭及び粉塵を含む換気空気を、換気扇を介して畜舎外に排出するようにしている。
【０００４】
たとえば、大風量の除塵・脱臭を目的とした空気清浄を行なう公知技術として湿式の空気清浄機が知られている。湿式の空気清浄機は水を噴霧して空気と接触させ粉塵、ガス成分、菌等の空気中の不純物を水側へ移行して空気を清浄化する。このような湿式の空気清浄機の性能は噴霧する水の清浄度に影響するが、除去された不純物は水中に蓄積されていき一定量の濃度になったとき水を交換すれば性能を維持できるため、他の空気清浄化方法のようにフィルター交換などと比べてメンテナンスが容易であり、水質の管理をすることにより空気清浄能力の状態を把握することができる利点もある。このように湿式の空気清浄機は水の入換え動作を行う水槽が重要である。従来の水槽を用いた湿式空気清浄機としては例えば特開昭６２−６９０３２に公開されているタイプが知られている。
【特許文献１】特開昭６２−６９０３２号公報（第２図）
【発明の開示】
【発明が解決しようとする課題】
【０００５】
しかしながら、このような従来の水槽の排出口では、集められた塵埃成分を効率的に排出することができず、水面を泡状に覆い、脱臭性能が低下するという課題があり、水面に浮いた浮遊物質の効率的な除去ができる除塵脱臭装置が要求されている。
【０００６】
本発明は、このような従来の課題を解決するものであり、簡易な構造により水面上の浮遊物質を効率的に排出できる除塵脱臭装置を提供するものである。
【課題を解決するための手段】
【０００７】
上記の目的を達成するために本発明は、水槽内に水を供給するタンク給水口を設け、水槽の下流側の水を吸い込みポンプで空気清浄塔内に水を噴射させて粉塵・臭気物質を吸着して、発生した水面の浮遊物質を上流側の側壁が水面より低く下流側の側壁が水面より高い樋に流し込み、貯まった水を排出する排出口を設けたものである。
【０００８】
また、他の手段は、水槽内に水を供給するタンク給水口を設け、水槽に設けられた樋の上流側壁面の上端部の高さを変更することができる堰を設けたものである。
【０００９】
また、他の手段は、空気清浄塔内に給水口を設け、水槽の下流側の水を吸い込みポンプで空気清浄塔内に水を噴射させて粉塵・臭気物質を吸着して、発生した水面の浮遊物質を上流側の側壁が水面より低く下流側の側壁が水面より高い樋に流し込み、貯まった水を排出する排出口を設けたものである。
【００１０】
また、他の手段は、空気清浄塔内に給水口を設け、水槽に設けられた樋の上流側壁面の上端部の高さを変更することができる堰を設けたものである。
【００１１】
また、他の手段は、水槽の流水方向に対して横断するように樋を設置したものである。
【００１２】
また、他の手段は、水槽に設けられた樋の上流側側壁の上端部を所定時間間隔で上下動させる制御装置を設けたものである。
【００１３】
また、他の手段は、水槽内の上流側の水位を検知して樋の上流側側壁の上端部を上下動させる制御装置を設けたものである。
【００１４】
また、他の手段は、樋の上流側の側壁の上端部の高さを変更する手段として回転体によるものである。
【００１５】
また、他の手段は、樋の上流側の側壁の上端部の高さを変更する手段として可倒式によるものである。
【発明の効果】
【００１６】
本発明によれば、水槽内に設けた上流側の壁が下流側の壁よりも低い樋によって、簡易な構造で浮遊物質を排出できる除塵脱臭装置が得られる。
【００１７】
また、本発明によれば、水槽内に設けた樋の上流側の壁の高さを変更することによって、容易に浮遊物質を排出できる除塵脱臭装置が得られる。
【００１８】
また、本発明によれば、空気清浄塔内で新鮮な水を噴射することによって、脱臭効果の高い除塵脱臭装置が得られる。
【００１９】
また、本発明によれば、所定時間間隔で堰を動作させることによって自動で浮遊物質の排出ができる除塵脱臭装置が得られる。
【００２０】
また、本発明によれば、水位の検知によって堰の動作を適切な間隔で行なうことができる除塵脱臭装置が得られる。
【発明を実施するための最良の形態】
【００２１】
本発明の請求項１記載の発明は、内部で水を噴射し粉塵・臭気物質を吸着して汚染空気を浄化する空気清浄塔と、前記汚染空気を空気清浄塔内部に送り込む送風機と、前記空気清浄塔内で噴射された水を回収する水槽と、前記水槽の下流側の水を吸い込み前記空気清浄塔内に水を噴射するためのポンプと、前記水槽内に水を供給するタンク給水口を設けた除塵脱臭装置であって、上流側の側壁が水面より低く下流側の側壁が水面より高い樋を前記水槽内に有し、前記樋に貯まった水を排出する排出口を設けたことを特徴とする前記除塵脱臭装置であり、上流側の側壁が水面より低く下流側の側壁が水面より高い樋により水面に浮いた浮遊物質を水槽外に排出することによって噴霧する水の清浄度を保ち、除塵脱臭性能の低下を防ぐという作用を有する。
【００２２】
また、本発明の請求項２記載の発明は、内部で水を噴射し粉塵・臭気物質を吸着して汚染空気を浄化する空気清浄塔と、前記汚染空気を空気清浄塔内部に送り込む送風機と、前記空気清浄塔内で噴射された水を回収する水槽と、前記水槽の下流側の水を吸い込み前記空気清浄塔内に水を噴射するためのポンプと、前記水槽内に水を供給するタンク給水口を設けた除塵脱臭装置であって、下流側の側壁が水面より高く、上流側の側壁の上端部の高さが変更できる樋を前記水槽内に有し、前記樋に貯まった水を排出する排出口を設けたことを特徴とする前記除塵脱臭装置であり、上流側の側壁の上端部の高さが変更できる樋により樋の上流側に蓄積した浮遊物質を確実に樋内に流し込むことによって水槽外に排出し、噴霧する水の清浄度を保ち、除塵脱臭性能の低下を防ぐという作用を有する。
【００２３】
また、本発明の請求項３記載の発明は、内部で水を噴射し粉塵・臭気物質を吸着して汚染空気を浄化する空気清浄塔と、前記汚染空気を空気清浄塔内部に送り込む送風機と、前記空気清浄塔内で噴射された水を回収する水槽と、前記水槽の下流側の水を吸い込み前記空気清浄塔内に水を噴射するためのポンプと、前記空気清浄塔内に水を供給する空気清浄塔給水口を設けた除塵脱臭装置であって、上流側の側壁が水面より低く下流側の側壁が水面より高い樋を前記水槽内に有し、前記樋に貯まった水を排出する排出口を設けたことを特徴とする前記除塵脱臭装置であり、給水する水を直接前記空気清浄塔内で噴射することによって脱臭性能が向上し、上流側の側壁が水面より低く下流側の側壁が水面より高い樋により水面に浮いた浮遊物質を水槽外に排出することによって噴霧する水の清浄度を保ち、除塵脱臭性能の低下を防ぐという作用を有する。
【００２４】
また、本発明の請求項４記載の発明は、内部で水を噴射し粉塵・臭気物質を吸着して汚染空気を浄化する空気清浄塔と、前記汚染空気を空気清浄塔内部に送り込む送風機と、前記空気清浄塔内で噴射された水を回収する水槽と、前記水槽の下流側の水を吸い込み前記空気清浄塔内に水を噴射するためのポンプと、前記空気清浄塔内に水を供給する空気清浄塔給水口を設けた除塵脱臭装置であって、下流側の側壁が水面より高く、上流側の側壁の上端部の高さが変更できる樋を前記水槽内に有し、前記樋に貯まった水を排出する排出口を設けたことを特徴とする前記除塵脱臭装置であり、給水する水を直接前記空気清浄塔内で噴射することによって、脱臭性能が向上し、上流側の側壁の上端部の高さが変更できる樋により樋の上流側に蓄積した浮遊物質を確実に樋内に流し込むことによって水槽外に排出し、噴霧する水の清浄度を保ち、除塵脱臭性能の低下を防ぐという作用を有する。
【００２５】
また、本発明の請求項５記載の発明は、前記水槽の流水方向に対して横断するように前記樋を設置したことを特徴とする請求項１、２、３又は４に記載の除塵脱臭装置であり、水面に浮いた浮遊物質を樋の下流側に流さずに樋の内部に流し込み、水槽外に排出し、噴霧する水の清浄度を保ち、除塵脱臭性能の低下を防ぐという作用を有する。
【００２６】
また、本発明の請求項６記載の発明は、前記樋の上流側側壁の上端部を所定時間間隔で上下動させる制御装置を設けたことを特徴とする請求項２、又は４に記載の除塵脱臭装置であり、浮遊物質の排出を自動でできるという作用を有する。
【００２７】
また、本発明の請求項７記載の発明は、前記水槽内の上流側の水位を検知して前記樋の上流側側壁の上端部を上下動させる制御装置を設けたことを特徴とする請求項２、又は４に記載の除塵脱臭装置であり、浮遊物質の排出を自動でかつ適切な間隔で行なうという作用を有する。
【００２８】
また、本発明の請求項８記載の発明は、前記上流側の側壁の上端部の高さを変更する手段として回転体を設けたことを特徴とする請求項２又は４に記載の除塵脱臭装置であり、前記堰の具体的構造を示したものである。
【００２９】
また、本発明の請求項９記載の発明は、前記上流側の側壁の上端部の高さを変更する手段として可倒式としたことを特徴とする請求項２又は４に記載の除塵脱臭装置であり、前記堰の具体的構造を示したものである。
【００３０】
以下、本発明の実施の形態について図面を参照しながら説明する。
【００３１】
（実施の形態１）
図１および図２は、空気清浄塔３と、送風機２と、水槽４と、ポンプ６及び給排水機構を備えた除塵脱臭装置を模式的に示している。畜舎からの排気空気は吸気口１から送風機２により空気清浄塔３内に送られる。一方で水槽４内の水は吸水口５に接続されたポンプ６により空気清浄塔３内の中央に配置された噴霧管７から噴射され、空気と接触する。このとき空気中の塵埃や臭気成分などの不純物は噴射された水滴に吸着される。この不純物を含んだ水滴はエリミネーター８により空気と分離され、清浄な空気が排気口９から送出される。一方、不純物を含んだ水滴は、空気清浄塔３内を落下して水槽４によって回収される。装置を運転し除去された空気中の不純物が水槽４の水に蓄積されていくに従って除塵脱臭装置の不純物除去能力が低下していくが、水槽４内にはタンク給水口１０から新鮮な水が補給され、噴射する水に含まれる不純物が高濃度にならないようにしている。水の補給は常時行なうほうがよい。回収された不純物で粉塵などの固形物のうち水よりも比重の小さい浮遊物質１３は水面に浮上する。水槽４内の水は給水されることにより所定の水位を超え、樋１１の上流側の壁面を越えて樋１１内に流れ込み、排水口１２から排出される。このとき水面に浮上した浮遊物質１３は水と一緒に樋１１及び排水口１２を経由して排出される。樋１１の壁面は下流側が上流側よりも十分な高さを持ち、下流側からの樋１１内への流入を防ぐ形になっている。また、樋１１は流水方向に対して水槽４を横断するように配置されているので、水面に浮上した浮遊物質１３は下流側に流れ込むことがなく、ポンプ６に吸い込まれる水の清浄度を保つ働きをする。
【００３２】
浮遊物質１３が水面に浮上してくるまでの時間は長いほど多くの浮遊物質１３が浮上するので、桶１１の位置は空気清浄塔３から出来るだけ下流側へ離したほうが良い。
【００３３】
（実施の形態２）
図３は、本発明の第２の実施例を示した図面である。
【００３４】
第２の実施例の樋１１は、第１の実施例の樋１１の上流側壁面に堰１４を設けたものである。この堰１４は下流側に倒すことができるようになっている。浮上した浮遊物質１３は堰１４の上流側で蓄積するが、堰１４を下流側に倒すことにより樋１１の内部に勢い良く流し込むことができるので、蓄積した浮遊物質１３を効率よく排出することが可能となる。また、補給する水が少ない状態でも浮遊物質１３の排出をすることができる。
【００３５】
（実施の形態３）
図４及び図５は、本発明の第３の実施例を示した図面である。
【００３６】
第３の実施例は、第２の実施例の堰１４を所定の時間間隔で動作させる時間動作堰制御手段１５を設けたものである。時間動作堰制御手段１５は所定の時間が経過するとまず堰１４を下流側に倒し、水面に蓄積した浮遊物質１３を樋１１に流し込む。その後所定の時間が経過した後堰１４を元の位置に戻す操作を行なう。図５は上記制御内容の流れをフロー図として表わしたものである。以上の動作により浮遊物質１３の排出が自動的に行なわれ、操作員の常時監視が不要になる。
【００３７】
（実施の形態４）
図６及び図７は、本発明の第４の実施例を示した図面である。
【００３８】
第４の実施例は、第２の実施例の堰１４を水槽４の樋１１の上流水位を検知して動作させる水位検知堰制御手段１６を設けたものである。水位検知センサー１７は水槽４内の桶１１の上流側の水位を監視し、所定の水位になった場合に水位検知堰制御手段１６に信号を送る。水位検知堰制御手段１６は水槽４の水位が所定の位置になると水位センサー１７からの信号を受け、まず堰１４を下流側に倒し、水面に蓄積した浮遊物質１３を樋１１に流し込む。その後所定の時間が経過した後堰１４を元の位置に戻す操作を行なう。図７は上記制御内容の流れをフロー図として表したものである。以上の動作により浮遊物質１３の排出が自動的に行なわれ、かつ補給した水の量に対して適切な間隔で排出操作が行なわれるので浮遊物質１３の排出が効率よく行なわれる効果がある。
【００３９】
（実施の形態５）
図８は、本発明の第５の実施例を示した図面である。
【００４０】
第５の実施例は、第２の実施例の樋１１の上流側壁面の堰１４の代わりに堰を回転体堰１８としたものであり、回転体堰１８の断面は楕円形になっていて、その回転の軸１９は楕円の中心からずれた位置にある。この回転体堰１８を軸１９を中心にして回転させることにより回転体堰１８の上端部の高さが変更できる。回転によって樋１１との間に出来る隙間は回転体押さえ板２０によって常時塞がれる。
【００４１】
回転体の断面形状は他にも扇形、多角形など中心からの距離が回転によって変更できるものであれば利用が可能である。
【００４２】
（実施の形態６）
図９は、本発明の第６の実施例を示した図面である。
【００４３】
第６の実施例は、空気清浄塔給水口２１を空気清浄塔３内に設置し、その先端に噴霧ノズルを接続したものである。このような湿式の空気清浄機の脱臭性能は噴霧する水の清浄度に影響し、清澄な水を噴霧したほうが性能が良いことが知られている。そのため、供給する新鮮水を直接空気清浄塔３内で噴霧することにより、より効率の良い脱臭効果が得られる。また、噴霧ノズルの位置は空気清浄塔３内の排気口に近い部分に設けることによって、空気浄化の効率を上げることが出来る。
【産業上の利用可能性】
【００４４】
以上のように本発明にによれば、水面をせき止めた形で樋を設けたことにより水面に浮上した浮遊物を排出することができる効果がある。
【００４５】
また、本発明によれば、樋の上流側に可動する堰を設けたことにより水面に浮上した浮遊物を効率よく排出できる効果がある。
【００４６】
また、本発明によれば、樋の上流側の堰を自動的に動作させることによって操作員の管理を省略することができる。
【００４７】
また、本発明によれば、水槽の水位を検知して堰を動作させることによって適切な間隔で浮遊物を排出することができる。
【００４８】
また、本発明によれば、新鮮水の供給を空気清浄塔内に新鮮水を噴霧することにより行なうことでより効率の良い除塵脱臭を行なうことが出来る。
【図面の簡単な説明】
【００４９】
【図１】本発明の第１の実施例を示す側面模式図
【図２】本発明の第１の実施例を示す平面模式図
【図３】本発明の第２の実施例を示す模式図
【図４】本発明の第３の実施例を示す模式図
【図５】本発明の第３の実施例の制御手段の内容を表すフロー図
【図６】本発明の第４の実施例を示す模式図
【図７】本発明の第４の実施例の制御手段の内容を表すフロー図
【図８】本発明の第５の実施例を示す模式図
【図９】本発明の第６の実施例を示す模式図
【符号の説明】
【００５０】
１  吸気口
２  送風機
３  空気清浄塔
４  水槽
５  吸水口
６  ポンプ
７  噴霧管
８  エリミネーター
９  排気口
１０  タンク給水口
１１  樋
１２  排水口
１３  浮遊物質
１４  堰
１５  時間動作堰制御手段
１６  水位検知堰制御手段
１７  水位検知センサー
１８  回転体堰
１９  軸
２０  回転体押さえ板
２１  空気清浄塔給水口
【図１】
2005218951.tif 000003
【図２】
2005218951.tif 000004
【図３】
2005218951.tif 000005
【図４】
2005218951.tif 000006
【図５】
2005218951.tif 000007
【図６】
2005218951.tif 000008
【図７】
2005218951.tif 000009
【図８】
2005218951.tif 000010
【図９】
2005218951.tif 000011